(57)【特許請求の範囲】
【請求項１】
患者に血液浄化治療を施すための血液浄化器が取り付けられる複数の血液浄化手段と、
該血液浄化手段のそれぞれに透析液、透析液原液、熱湯、洗浄液又は消毒液等の所定の液体を供給可能な供給手段と、
を具備し、予め設定された所定の工程信号に基づいて複数の前記血液浄化手段における所定の工程が行われる血液浄化システムにおいて、
前記血液浄化手段に供給される前記所定の液体に含有された生物粒子をリアルタイムにて計数し得る生物粒子計数手段を具備し、当該生物粒子計数手段による計数値に基づいて所定の動作が行われるとともに、当該所定の動作が前記工程信号に応じて決定されるものとされ、且つ、前記工程信号に基づき行われる工程は、前記血液浄化手段による血液浄化治療を行わせる治療工程、前記所定の液体を流通させる流路を洗浄又は消毒させる洗浄消毒工程を有するとともに、前記所定の動作は、当該治療工程又は洗浄消毒工程に応じた前記生物粒子計数手段による計数値に基づく動作とされることを特徴とする血液浄化システム。
【請求項２】
前記所定の動作は、前記治療工程のとき、前記生物粒子計数手段による計数値に基づいて、前記血液浄化手段に供給される前記所定の液体の清浄度を報知、又は前記血液浄化手段による血液浄化治療を継続若しくは停止させる動作とされるとともに、前記洗浄消毒工程のとき、前記生物粒子計数手段による計数値に基づいて、洗浄又は消毒の効果を監視、又は前記所定の液体を流通させる流路の清浄度を報知する動作とされることを特徴とする請求項１記載の血液浄化システム。
【請求項３】
前記洗浄消毒工程のとき、前記生物粒子計数手段による計数値に基づいて、前記洗浄又は消毒を追加で行わせることを特徴とする請求項２記載の血液浄化システム。
【請求項４】
前記所定の液体を流通させる流路から前記生物粒子計数手段に前記所定の液体を導く導入流路を有するとともに、前記洗浄消毒工程は、前記所定の液体を流通させる流路に熱湯又は消毒液を流通させる消毒工程を有し、当該消毒工程のとき、前記導入流路による熱湯又は消毒液の導入を制限し得ることを特徴とする請求項１〜３の何れか１つに記載の血液浄化システム。
【請求項５】
前記血液浄化手段に供給される前記所定の液体を清浄化する清浄化フィルタを具備するとともに、前記生物粒子計数手段は、当該清浄化フィルタの少なくとも下流側を流れる前記所定の液体の生物粒子を計数し得るものとされ、前記工程信号に応じて、当該清浄化フィルタの清浄化効果を評価し得ることを特徴とする請求項１〜４の何れか１つに記載の血液浄化システム。
【請求項６】
前記生物粒子計数手段は、前記清浄化フィルタの上流側及び下流側を流れる前記所定の液体の生物粒子をそれぞれ計数して比較し得るものとされ、前記工程信号に応じて、当該清浄化フィルタの清浄化効果を評価し得ることを特徴とする請求項５記載の血液浄化システム。
【発明の詳細な説明】
【技術分野】
【０００１】
本発明は、予め設定された所定の工程信号に基づいて複数の血液浄化手段における所定の工程が行われる血液浄化システムに関するものである。
【背景技術】
【０００２】
一般に、血液浄化システムは、病院等医療現場における機械室に透析液供給装置を設置しておき、これとは別の場所である透析室（治療室）に透析用監視装置を設置するとともに、これら透析液供給装置と透析用監視装置とを配管で連結させて構成されている。透析液供給装置は、清浄水が供給されて所定濃度の透析液を作製するものである一方、透析用監視装置は、患者に透析治療を施すための血液浄化器（ダイアライザ）の数に対応して複数設置され、透析液供給装置で作製された透析液を配管を介して導入し、血液浄化器に供給する。
【０００３】
すなわち、機械室に設置された透析液供給装置から透析室に設置された複数の透析用監視装置に分配して透析液を送液し、それぞれにおいてダイアライザに透析液を供給するよう構成されているのである。また、透析液供給装置と各透析用監視装置とを電気的に接続しておき、透析治療工程時、配管の洗浄工程又は消毒工程時において、当該透析液供給装置（供給手段）から各透析用監視装置（血液浄化手段）に対して電気信号（工程信号）を送信するものが提案されている（例えば、特許文献１参照）。これにより、各透析用監視装置は、所定の電気信号（工程信号）を受信すると、その信号に応じた動作（ポンプの駆動や電磁弁の開閉等）が行われることとなる。
【０００４】
ところで、透析液供給装置から各透析用監視装置に供給される透析液は、高い清浄度が要求されており、従来、透析液に含有された生物粒子をリアルタイムにて計数し得る生物粒子計数手段を透析装置に配設したものが提案されている。かかる生物粒子計数手段によれば、透析液を所定量採取して生物粒子を培養等するオフラインタイプのものに比べ、透析治療時に透析液の清浄度を正確に把握することができる。
【先行技術文献】
【特許文献】
【０００５】
【特許文献１】特開２００４−１６４１２号公報
【特許文献２】特開２０１３−１４４０５７号公報
【発明の概要】
【発明が解決しようとする課題】
【０００６】
しかしながら、上記従来の血液浄化システムにおいては、透析液の清浄度についてリアルタイムにて把握させ得るものの、生物粒子計数手段による計数値に基づいて透析液供給装置又は各透析用監視装置にて何らかの動作が行われるものではない。したがって、生物粒子計数手段によってリアルタイムに得られた生物粒子の計数値を有効に活用することができないという問題があった。そこで、本出願人は、生物粒子計数手段による計数値に基づいて透析液供給装置又は各透析用監視装置にて所定の動作を行わせ、生物粒子計測手段によってリアルタイムに得られた生物粒子の計数値を有効活用させることを鋭意検討するに至った。
【０００７】
本発明は、このような事情に鑑みてなされたもので、生物粒子計数手段による計数値を有効活用することができる血液浄化システムを提供することにある。
【課題を解決するための手段】
【０００８】
請求項１記載の発明は、患者に血液浄化治療を施すための血液浄化器が取り付けられる複数の血液浄化手段と、該血液浄化手段のそれぞれに透析液、透析液原液、熱湯、洗浄液又は消毒液等の所定の液体を供給可能な供給手段とを具備し、予め設定された所定の工程信号に基づいて複数の前記血液浄化手段における所定の工程が行われる血液浄化システムにおいて、前記血液浄化手段に供給される前記所定の液体に含有された生物粒子をリアルタイムにて計数し得る生物粒子計数手段を具備し、当該生物粒子計数手段による計数値に基づいて所定の動作が行われるとともに、当該所定の動作が前記工程信号に応じて決定されるものとされ、且つ、前記工程信号に基づき行われる工程は、前記血液浄化手段による血液浄化治療を行わせる治療工程、前記所定の液体を流通させる流路を洗浄又は消毒させる洗浄消毒工程を有するとともに、前記所定の動作は、当該治療工程又は洗浄消毒工程に応じた前記生物粒子計数手段による計数値に基づく動作とされることを特徴とする。
【００１０】
請求項２記載の発明は、請求項１記載の血液浄化システムにおいて、前記所定の動作は、前記治療工程のとき、前記生物粒子計数手段による計数値に基づいて、前記血液浄化手段に供給される前記所定の液体の清浄度を報知、又は前記血液浄化手段による血液浄化治療を継続若しくは停止させる動作とされるとともに、前記洗浄消毒工程のとき、前記生物粒子計数手段による計数値に基づいて、洗浄又は消毒の効果を監視、又は前記所定の液体を流通させる流路の清浄度を報知する動作とされることを特徴とする。
【００１１】
請求項３記載の発明は、請求項２記載の血液浄化システムにおいて、前記洗浄消毒工程のとき、前記生物粒子計数手段による計数値に基づいて、前記洗浄又は消毒を追加で行わせることを特徴とする。
【００１２】
請求項４記載の発明は、請求項１〜３の何れか１つに記載の血液浄化システムにおいて、前記所定の液体を流通させる流路から前記生物粒子計数手段に前記所定の液体を導く導入流路を有するとともに、前記洗浄消毒工程は、前記所定の液体を流通させる流路に熱湯又は消毒液を流通させる消毒工程を有し、当該消毒工程のとき、前記導入流路による熱湯又は消毒液の導入を制限し得ることを特徴とする。
【００１３】
請求項５記載の発明は、請求項１〜４の何れか１つに記載の血液浄化システムにおいて、前記血液浄化手段に供給される前記所定の液体を清浄化する清浄化フィルタを具備するとともに、前記生物粒子計数手段は、当該清浄化フィルタの少なくとも下流側を流れる前記所定の液体の生物粒子を計数し得るものとされ、前記工程信号に応じて、当該清浄化フィルタの清浄化効果を評価し得ることを特徴とする。
【００１４】
請求項６記載の発明は、請求項５記載の血液浄化システムにおいて、前記生物粒子計数手段は、前記清浄化フィルタの上流側及び下流側を流れる前記所定の液体の生物粒子をそれぞれ計数して比較し得るものとされ、前記工程信号に応じて、当該清浄化フィルタの清浄化効果を評価し得ることを特徴とする。
【発明の効果】
【００１５】
請求項１の発明によれば、血液浄化手段に供給される所定の液体に含有された生物粒子をリアルタイムにて計数し得る生物粒子計数手段を具備し、当該生物粒子計数手段による計数値に基づいて所定の動作が行われるとともに、当該所定の動作が工程信号に応じて決定されるので、生物粒子計数手段による計数値を有効活用することができる。
【００１６】
また、工程信号に基づき行われる工程は、血液浄化手段による血液浄化治療を行わせる治療工程、所定の液体を流通させる流路を洗浄又は消毒させる洗浄消毒工程を有するとともに、所定の動作は、当該治療工程又は洗浄消毒工程に応じた生物粒子計数手段による計数値に基づく動作とされるので、生物粒子計数手段による計数値に基づき、治療工程及び洗浄消毒工程に応じた所定動作を行わせることができる。
【００１７】
請求項２の発明によれば、所定の動作は、治療工程のとき、生物粒子計数手段による計数値に基づいて、血液浄化手段に供給される所定の液体の清浄度を報知、又は血液浄化手段による血液浄化治療を継続若しくは停止させる動作とされるとともに、洗浄消毒工程のとき、生物粒子計数手段による計数値に基づいて、洗浄又は消毒の効果を監視、又は所定の液体を流通させる流路の清浄度を報知する動作とされるので、生物粒子計数手段による計数値に基づき、治療工程及び洗浄消毒工程に応じたより適切な所定動作を行わせることができる。
【００１８】
請求項３の発明によれば、洗浄消毒工程のとき、生物粒子計数手段による計数値に基づいて、洗浄又は消毒を追加で行わせるので、洗浄又は消毒をより確実に行わせることができる。
【００１９】
請求項４の発明によれば、所定の液体を流通させる流路から生物粒子計数手段に所定の液体を導く導入流路を有するとともに、洗浄消毒工程は、所定の液体を流通させる流路に熱湯又は消毒液を流通させる消毒工程を有し、当該消毒工程のとき、導入流路による熱湯又は消毒液の導入を制限し得るので、熱湯又は消毒液により生物粒子計測手段が損傷してしまうのを防止することができる。
【００２０】
請求項５の発明によれば、血液浄化手段に供給される所定の液体を清浄化する清浄化フィルタを具備するとともに、生物粒子計数手段は、当該清浄化フィルタの少なくとも下流側を流れる所定の液体の生物粒子を計数し得るものとされ、工程信号に応じて、当該清浄化フィルタの清浄化効果を評価し得るので、清浄化フィルタの性能や寿命を正確に把握することができる。
【００２１】
請求項６の発明によれば、生物粒子計数手段は、清浄化フィルタの上流側及び下流側を流れる所定の液体の生物粒子をそれぞれ計数して比較し得るものとされ、工程信号に応じて、当該清浄化フィルタの清浄化効果を評価し得るので、清浄化フィルタの性能や寿命をリアルタイム且つ正確に把握することができる。
【図面の簡単な説明】
【００２２】
【図１】本発明の実施形態に係る血液浄化システムを示す全体模式図
【図２】同血液浄化システムにおける監視装置（血液浄化手段）の構成を示す模式図
【図３】同血液浄化システムにおける制御内容（治療工程時の制御）を示すフローチャート
【図４】同血液浄化システムにおける制御内容（洗浄消毒工程及び治療工程時の制御）を示すフローチャート
【図５】同血液浄化システムにおける制御内容（洗浄消毒工程時の制御）を示すフローチャート
【図６】本発明の第２の実施形態に係る血液浄化システムを示す全体模式図
【図７】本発明の他の実施形態に係る血液浄化システムを示す全体模式図
【図８】本発明の更に他の実施形態に係る血液浄化システムを示す全体模式図
【発明を実施するための形態】
【００２３】
以下、本発明の実施形態について図面を参照しながら具体的に説明する。
第１の実施形態に係る血液浄化システムは、所定濃度の透析液を複数の透析用監視装置に供給するためのものであり、図１に示すように、病院等医療現場における透析室（治療室）に設置された複数の監視装置１（本発明の「血液浄化手段」に相当）と、当該医療現場における透析室とは別の場所である機械室に設置された透析液供給装置２（本発明の「供給手段」に相当）とから主に構成される。
【００２４】
監視装置１（血液浄化手段）は、患者に血液浄化治療（血液透析治療）を施すためのダイアライザ８（血液浄化器）（図２参照）が取り付けられ、透析液供給装置２から供給された透析液を当該ダイアライザ８に供給するためのもので、透析室に複数設置されている。かかる監視装置１は、血液透析治療や他の制御内容（洗浄又は消毒）の指示及び所定の表示を行わせ得るタッチパネル１ａが配設されている。
【００２５】
より具体的には、複数の監視装置１の各々は、図２に示すように、透析液供給装置２から延設された配管Ｌ１が引き込まれるとともに、図示しない排液手段に接続された配管Ｌ２を具備し、これら配管Ｌ１、Ｌ２に跨って複式ポンプ１０が配設されて構成されている。このうち監視装置１内における配管Ｌ１には、当該配管Ｌ１を流れる液体の流量を検出する流量検出センサ１１、当該液体の給液圧を検出する液圧検出センサ１２、及び当該液体の電導度（濃度）を検出する電導度検出センサ１３が配設されている。
【００２６】
また、複式ポンプ１０からは、配管Ｌ１と連通した透析液導入ラインＬ４と、配管Ｌ２と連通した透析液排出ラインＬ５が延設されており、カプラＣを介して当該透析液導入ラインＬ４の先端をダイアライザ８の透析液導入口８ａに接続し得るとともに、カプラＣを介して当該透析液排出ラインＬ５の先端をダイアライザ８の透析液排出口８ｂに接続し得るよう構成されている。このように、各監視装置１には、それぞれ患者に応じたダイアライザ８が取り付けられるようになっており、当該ダイアライザ８には、患者の血液を体外循環させる血液回路９が接続されることとなる。
【００２７】
複式ポンプ１０のポンプ室は、図示しない単一のプランジャにより、配管Ｌ１に接続された送液側ポンプ室と、配管Ｌ２に接続された排出側ポンプ室とに隔成されており、当該プランジャが往復動することにより、送液側ポンプ室に送られた透析液又は洗浄液をダイアライザ８に供給するとともに、ダイアライザ８内の透析液を排出側ポンプ室に吸入するよう構成されている。さらに、監視装置１内には、複式ポンプ１０をバイパスしつつ配管Ｌ２と透析液排出ラインＬ５とを連通する配管Ｌ３が形成されており、この配管Ｌ３の途中に除水ポンプ１４が配設されている。かかる除水ポンプ１４を駆動させることにより、ダイアライザ８内を流れる患者の血液に対して除水を行わせることが可能とされる。
【００２８】
なお、複式ポンプ１０に代えて、所謂チャンバ形式のものとしてもよいとともに、流量検出センサ１１、液圧検出センサ１２或いは電導度検出センサ１３等のセンサ類は、任意選択的に配設してもよく若しくは他の汎用的なものを加えるようにしてもよい。さらに、本実施形態においては、当該センサ類を配管Ｌ１に配設するようにしているが、他の配管（例えば配管Ｌ２）に配設するものとしてもよい。
【００２９】
透析液供給装置２（供給手段）は、清浄水及び透析液原液を用いて所定濃度の透析液を作製し得るとともに、監視装置１（血液浄化手段）のそれぞれに作製した透析液を供給可能なものである。すなわち、透析液供給装置２は、配管Ｌ１を介して複数の監視装置１のそれぞれと接続されており、かかる配管Ｌ１を介して監視装置１のそれぞれに透析液、熱湯、洗浄液又は消毒液等の所定の液体を供給し得るよう構成されているのである。なお、透析液供給装置２には、透析液供給や洗浄又は消毒に関する制御内容の指示及び所定の表示を行わせ得るタッチパネル２ａが配設されている。
【００３０】
一方、複数の監視装置１は、透析液供給装置２から送信される予め設定された所定の工程信号に基づいて所定の工程（ポンプの駆動や電磁便の開閉等を動作させる工程であって、配管内を透析液に置換する置換工程、血液浄化治療工程或いは洗浄消毒工程等）が行われるよう構成されている。これにより、各監視装置１は、所定の工程信号に従って一律的に且つ一斉に所定の工程が行われることとなる。
【００３１】
なお、本実施形態に係る血液浄化システムにおいては、透析液供給装置２（供給手段）とそれぞれの監視装置１（血液浄化手段）とが、ＬＡＮ（ローカルエリアネットワーク：構内通信網）にて接続されており、双方向の情報の通信が可能とされている。これにより、本血液浄化システムにおいては、複数の監視装置１に対して透析液供給装置２から所定情報を送信し得るものとされ、上述した工程信号に基づく所定の動作を維持させつつ当該所定情報に基づいて複数の監視装置１を制御し得る構成とされている。
【００３２】
すなわち、透析液供給装置２とそれぞれの監視装置１との間は、ＬＡＮケーブルαを介在してＬＡＮ接続されているとともに、透析液供給装置２にはＬＡＮケーブルαを介して監視装置１との間で通信するためのインターフェイス部４及び制御部５が配設される一方、監視装置１のそれぞれにはＬＡＮケーブルαを介して透析液供給装置２との間で通信するためのインターフェイス部６及び制御部７（図２参照）が配設されているのである。さらに、ＬＡＮケーブルαには、透析通信システムＴが接続されており、監視装置１及び透析液供給装置２の間の通信が制御されるよう構成されている。なお、かかるＬＡＮは、本実施形態の如くＬＡＮケーブルαを用いるもの（有線）に限らず、無線で双方向の情報の通信が可能なもの（無線ＬＡＮ）であってもよい。
【００３３】
そして、透析液供給装置２においては、制御部５による所定の動作（透析液の作製等）が行われるとともに、インターフェイス部４を介して工程信号を監視装置１に送信し得るようになっている。また、監視装置１においては、インターフェイス部６にて透析液供給装置２から工程信号を受信すると、その工程信号に基づく動作（治療前のプライミング、血液透析治療、返血、洗浄・消毒等）が制御部７による制御にて行われる。
【００３４】
ここで、本実施形態においては、配管Ｌ１における全ての監視装置１より上流側に生物粒子計数手段３が接続されている。かかる生物粒子計数手段３は、導入流路Ｌ１ａを介して配管Ｌ１に接続され、当該配管Ｌ１を流通しつつ監視装置１に供給される前の所定の液体（透析液、熱湯、洗浄液又は消毒液等）が導かれるよう構成されてり、その導かれた所定の液体に含有された生物粒子（生物に由来する微粒子）をリアルタイムにて計数し得るものである。
【００３５】
より具体的には、本実施形態に係る生物粒子計数手段３は、導入流路Ｌ１ａから導入した液体に特定の波長のレーザ光を照射し、その散乱光や自家蛍光を検出する光検出部３ａと、光検出部３ａから出力された信号に基づいて自家蛍光数を計数する自家蛍光計数部３ｂとを有して構成されており、当該自家蛍光数が生物粒子数（生物粒子計数手段３の計数値）としてカウントされる。なお、自家蛍光は、生物粒子内（細胞内）に存在する代謝に必要な物質（リボフラビン、ＮＡＤ（Ｐ）Ｈ（ニコチンアミドアデニンジヌクレオチド（リン酸）等）から発せられる光（レーザ光が生物粒子に吸収されてそのエネルギーを利用して放出される光）である。
【００３６】
また、生物粒子計数手段３は、透析液供給装置２のインターフェイス部４と配線βを介して電気的に接続されており、その計数値（生物粒子の個数）が透析液供給装置２に送信可能とされている。そして、本実施形態においては、受信した生物粒子計数手段３による計数値に基づいて所定の動作（透析液供給装置２による動作、監視装置１による動作及び本血液浄化システムを構成する他の装置による動作を含む）が行われるとともに、当該所定の動作が工程信号に応じて決定されるよう構成されている。
【００３７】
具体的には、工程信号に基づき行われる工程は、監視装置１による血液浄化治療を行わせる治療工程、所定の液体を流通させる流路（導入流路Ｌ１ａ）を洗浄又は消毒させる洗浄消毒工程を有するとともに、所定の動作は、当該治療工程又は洗浄消毒工程に応じた生物粒子計数手段３による計数値に基づく動作とされる。例えば、所定の動作は、治療工程のとき、生物粒子計数手段３による計数値に基づいて、監視装置１に供給される所定の液体の清浄度を報知、又は監視装置１による血液浄化治療を継続若しくは停止させる動作とされるとともに、洗浄消毒工程のとき、生物粒子計数手段３による計数値に基づいて、洗浄又は消毒の効果を監視、又は所定の液体を流通させる流路（配管Ｌ１）の清浄度を報知する動作とされる。
【００３８】
さらに、本実施形態においては、洗浄消毒工程のとき、生物粒子計数手段３による計数値に基づいて、洗浄又は消毒を追加で行わせるようにしてもよい。加えて、本実施形態においては、所定の液体を流通させる流路（配管Ｌ１）から生物粒子計数手段３に所定の液体を導く導入流路Ｌ１ａを有するとともに、洗浄消毒工程は、所定の液体を流通させる流路（配管Ｌ１）に熱湯又は消毒液を流通させる消毒工程を有し、当該消毒工程のとき、例えば導入流路Ｌ１ａに配設された弁（不図示）等により、導入流路Ｌ１ａによる熱湯又は消毒液の導入を制限し得るよう構成することができる。この場合の制限は、消毒工程が開始された際、導入流路Ｌ１ａに配設された弁を閉状態とすることにより、その流路を遮断する形態を含み、さらに必要に応じて導入流路Ｌ１ａの消毒を行わせるため、時々消毒液を導入するものであってもよい。生物粒子計数手段３を構成する機器の保護のため、消毒時間を短縮することもできる。
【００３９】
次に、本実施形態に係る血液浄化システムにおける制御内容について、図３〜５のフローチャートに基づいて説明する。
先ず、治療工程における制御内容について、図３のフローチャートに基づいて説明する。Ｓ１にて、透析液供給装置２から治療工程を行わせるための工程信号が各監視装置１に発信されると、Ｓ２にて生物粒子計数手段３による生物粒子の計数が行われる。そして、Ｓ３にて生物粒子計数手段３による計数値が所定の閾値ａより小さいか否かが判定され、計数値が閾値ａより小さいと判定された場合、Ｓ４に進んで治療を継続して行わせる。
【００４０】
また、Ｓ３にて計数値が閾値ａより小さくないと判定された場合、Ｓ５に進み、計数値が所定の閾値ｂ（但し、ａ＜ｂ）より小さいか否か判定され、計数値が閾値ｂより小さいと判定された場合は、Ｓ６に進んで所定の報知が行われた後、Ｓ４に進んで治療を継続して行わせる。Ｓ６にて行われる報知は、生物粒子が多く清浄度が悪化している旨の表示等にて行われ、例えば操作者が次回の洗浄消毒時、洗浄消毒の効果を上げるために時間を延ばすなど、必要に応じた処置を行わせることができる。一方、Ｓ５にて計数値が閾値ｂより小さくないと判定された場合、Ｓ７に進み、清浄度が極めて悪い旨を把握させ得る所定の警報が行われた後、Ｓ８にて操作者により治療継続をするか否かが判定される。そして、Ｓ８にて操作者により治療継続をする判断がされた場合、Ｓ４に進んで治療を継続させるとともに、治療継続をしないと判断された場合、Ｓ９に進んで治療を停止させる。
【００４１】
次に、洗浄消毒工程における制御内容について、図４のフローチャートに基づいて説明する。Ｓ１にて、透析液供給装置２から洗浄消毒工程を行わせるための工程信号が各監視装置１に発信されると、Ｓ２にて生物粒子計数手段３による生物粒子の計数が停止されるとともに、Ｓ３にて洗浄消毒に必要な動作（洗浄液及び消毒液の流通等）が行われる。そして、洗浄消毒工程が終了し、Ｓ４にて、治療工程を行わせるための工程信号が透析液供給装置２から各監視装置１に発信されると、Ｓ５にて治療に必要な動作（透析液の供給等）が行われる。
【００４２】
その後、Ｓ６にて生物粒子計数手段３による生物粒子の計数が行われ、Ｓ７にて計数値が予め設定した閾値Ａ（治療経過に伴うトレンドから正常範囲として設定された値）より小さいか否かが判定され、計数値が閾値Ａより小さい場合、Ｓ８に進んで治療を継続して行わせる。また、Ｓ７にて計数値が閾値Ａより小さくないと判定された場合、Ｓ９に進み、計数値が予め設定した閾値Ｂ（治療に影響を及ぼすと考えられる値）より小さいか否か判定され、計数値が閾値Ｂより小さいと判定された場合は、Ｓ１０に進んで所定の報知が行われた後、Ｓ８に進んで治療を継続して行わせる。
【００４３】
Ｓ１０にて行われる報知は、生物粒子が多く清浄度が悪化している旨の表示等にて行われ、例えば操作者が次回の洗浄消毒時、洗浄消毒の効果を上げるために時間を延ばすなど、必要に応じた処置を行わせることができる。一方、Ｓ９にて計数値が閾値Ｂより小さくないと判定された場合、Ｓ１１に進み、清浄度が極めて悪い旨を把握させ得る所定の警報が行われた後、Ｓ１２にて操作者により治療継続をするか否かが判定される。そして、Ｓ１２にて操作者により治療継続をする判断がされた場合、Ｓ８に進んで治療を継続させるとともに、治療継続をしないと判断された場合、Ｓ１３に進んで治療を停止させる。
【００４４】
次に、洗浄消毒工程における他の制御内容について、図５のフローチャートに基づいて説明する。Ｓ１にて、透析液供給装置２から洗浄消毒工程を行わせるための工程信号が各監視装置１に発信されると、Ｓ２にて生物粒子計数手段３による生物粒子の計数が停止されるとともに、Ｓ３にて消毒に必要な動作（消毒液の流通等）が行われる。そして、消毒動作が終了し、Ｓ４にて洗浄動作が開始すると、Ｓ５にて生物粒子計数手段３による生物粒子の計数が行われる。
【００４５】
そして、Ｓ６にて生物粒子計数手段３による計数値が所定の閾値Ａ’より小さいか否かが判定され、計数値が閾値Ａ’（治療経過に伴うトレンドから正常範囲として設定された値）より小さいと判定された場合、Ｓ７に進んで透析液の供給を行わせる。また、Ｓ６にて計数値が閾値Ａ’より小さくないと判定された場合、Ｓ８に進み、計数値が閾値Ｂ’（治療に影響を及ぼすと考えられる値）より小さいか否か判定され、計数値が閾値Ｂ’より小さいと判定された場合は、Ｓ９に進んで所定の報知が行われた後、Ｓ７に進んで透析液の供給を行わせる。
【００４６】
Ｓ９にて行われる報知は、生物粒子が多く清浄度が悪化している旨の表示等にて行われ、例えば操作者が次回の洗浄消毒時、洗浄消毒の効果を上げるために時間を延ばすなど、必要に応じた処置を行わせることができる。一方、Ｓ８にて計数値が閾値Ｂ’より小さくないと判定された場合、Ｓ１０に進み、清浄度が極めて悪い旨を把握させ得る所定の警報が行われた後、Ｓ１１にて操作者により追加の消毒及び洗浄を行わせるか否かが判定される。
【００４７】
Ｓ１１にて操作者により追加の消毒及び洗浄を行わせると判断されると、Ｓ２に戻り、一連の動作を再び行わせるとともに、操作者により追加の消毒及び洗浄を行わないと判断されると、Ｓ１２に進んで、操作者により透析液の供給を行わせてもよいか否かが判定される。その後、Ｓ１２にて操作者により透析液の供給を行わせてもよいと判定されると、Ｓ７にて透析液の供給が行われるとともに、操作者により透析液の供給を行わないと判断されると、Ｓ１３に進んで、透析液の供給を停止する。
【００４８】
上記実施形態によれば、監視装置１に供給される所定の液体に含有された生物粒子をリアルタイムにて計数し得る生物粒子計数手段３を具備し、当該生物粒子計数手段３による計数値に基づいて所定の動作が行われるとともに、当該所定の動作が工程信号に応じて決定されるので、生物粒子計数手段３による計数値を有効活用することができる。また、本実施形態に係る工程信号に基づき行われる工程は、監視装置１による血液浄化治療を行わせる治療工程、所定の液体を流通させる流路を洗浄又は消毒させる洗浄消毒工程を有するとともに、所定の動作は、当該治療工程又は洗浄消毒工程に応じた生物粒子計数手段３による計数値に基づく動作とされるので、生物粒子計数手段３による計数値に基づき、治療工程及び洗浄消毒工程に応じた所定動作を行わせることができる。
【００４９】
さらに、本実施形態に係る所定の動作は、治療工程のとき、生物粒子計数手段３による計数値に基づいて、監視装置１に供給される所定の液体の清浄度を報知、又は血液浄化手段による血液浄化治療を継続若しくは停止させる動作とされるとともに、洗浄消毒工程のとき、生物粒子計数手段３による計数値に基づいて、洗浄又は消毒の効果を監視、又は所定の液体を流通させる流路の清浄度を報知する動作とされるので、生物粒子計数手段３による計数値に基づき、治療工程及び洗浄消毒工程に応じたより適切な所定動作を行わせることができる。
【００５０】
加えて、本実施形態によれば、洗浄消毒工程のとき、生物粒子計数手段３による計数値に基づいて、洗浄又は消毒を追加で行わせるので、洗浄又は消毒をより確実に行わせることができる。さらに、所定の液体を流通させる流路から生物粒子計数手段３に所定の液体を導く導入流路Ｌ１ａを有するとともに、洗浄消毒工程は、所定の液体を流通させる流路に熱湯又は消毒液を流通させる消毒工程を有し、当該消毒工程のとき、導入流路Ｌ１ａによる熱湯又は消毒液の導入を制限し得るので、熱湯又は消毒液により生物粒子計測手段３が損傷してしまうのを防止することができる。
【００５１】
次に、本発明に係る第２の実施形態について説明する。
本実施形態に係る血液浄化システムは、第１の実施形態と同様、所定濃度の透析液を複数の透析用監視装置に供給するためのものであり、図６に示すように、病院等医療現場における透析室（治療室）に設置された複数の監視装置１（本発明の「血液浄化手段」に相当）と、当該医療現場における透析室とは別の場所である機械室に設置された透析液供給装置２（本発明の「供給手段」に相当）とから主に構成される。なお、第１の実施形態と同様の構成要素には同一の符号を付し、それらの説明を省略する。
【００５２】
ここで、本実施形態においては、配管Ｌ１における全ての監視装置１より上流側に清浄化フィルタ１５及び生物粒子計数手段３が接続されている。清浄化フィルタ１５は、監視装置１に供給される所定の液体を清浄化するための微粒子濾過フィルタから成り、生物粒子等の微粒子を吸着（例えば生物粒子と親和性のある抗生物質が含まれた繊維から成るフィルタにて吸着）させるよう構成されている。
【００５３】
本実施形態に係る生物粒子計数手段３は、配管Ｌ１における清浄化フィルタ１５より上流側から延びる導入流路Ｌ１ａに接続されたものと、下流側から延びる導入流路Ｌ１ａに接続されたものとで構成されており、清浄化フィルタ１５の上流側及び下流側を流れる所定の液体の生物粒子をそれぞれ計数して比較し得るものとされている。そして、清浄化フィルタ１５の上流側及び下流側を流れる所定の液体の生物粒子をそれぞれ計数して比較することにより、工程信号に応じて、当該清浄化フィルタ１５の清浄化効果を評価し得るよう構成されている。例えば、治療毎に得られる生物粒子数を比較し、清浄化フィルタ１５の前後で値を監視することにより、生物粒子の捕捉具合が低下しているか否かを確認し、清浄化フィルタ１５の清浄効果を評価することができる。
【００５４】
また、図７に示すように、配管Ｌ１における清浄化フィルタ１５より上流側から延びる導入流路Ｌ１ａの先端と、下流側から延びる導入流路Ｌ１ａの先端とに単一の生物粒子計数手段３を接続するとともに、上流側から延びる導入流路Ｌ１ａ及び下流側から延びる導入流路Ｌ１ａのそれぞれに、流路を開閉し得る弁手段１６を接続したものとしてもよい。この場合、弁手段１６を交互に開状態とすることにより、清浄化フィルタ１５の上流側及び下流側を流れる所定の液体の生物粒子をそれぞれ計数して比較することができる。
【００５５】
なお、本実施形態に係る生物粒子計数手段３は、清浄化フィルタ１５の上流側及び下流側を流れる所定液体の生物粒子を計数し、それらを比較し得るものとされているが、清浄化フィルタ１５の少なくとも下流側を流れる所定の液体の生物粒子を計数し得るものとされ、工程信号に応じて、当該清浄化フィルタ１５の清浄化効果を評価し得るものであれば足りる。すなわち、清浄化フィルタ１５の下流側のみに生物粒子計数手段３に所定の液体を導入し得る導入流路Ｌ１ａを接続するものとしてもよいのである。
【００５６】
上記実施形態によれば、監視装置１に供給される所定の液体を清浄化する清浄化フィルタ１５を具備するとともに、生物粒子計数手段３は、当該清浄化フィルタ１５の少なくとも下流側を流れる所定の液体の生物粒子を計数し得るものとされ、工程信号に応じて、当該清浄化フィルタ１５の清浄化効果を評価し得るので、清浄化フィルタ１５の性能や寿命を正確に把握することができる。特に、生物粒子計数手段３は、清浄化フィルタ１５の上流側及び下流側を流れる所定の液体の生物粒子をそれぞれ計数して比較し得るものとされ、工程信号に応じて、当該清浄化フィルタ１５の清浄化効果を評価し得るものとすれば、清浄化フィルタ１５の性能の極端な低下や寿命をリアルタイム且つ正確に把握することができる。
【００５７】
以上、本実施形態に係る血液浄化システムついて説明したが、本発明はこれに限定されるものではなく、例えば図８に示すように、監視装置１内に生物粒子計数手段３を配設してもよい。この場合、適用される監視装置１（血液浄化手段）は、同図に示すように、血液回路（不図示）に接続されるダイアライザ８（血液浄化器）と、ダイアライザ８に透析液を導入可能な透析液導入ラインＬ４と、ダイアライザ８からの排液を排出可能な透析液排出ラインＬ５と、複式ポンプ１０と、除水ポンプ１４とを有して構成されている。同図中符号ｆは、透析液導入ラインＬ４に接続された濾過フィルタを示している。
【００５８】
ダイアライザ８は、血液回路にて体外循環する血液を浄化するためのもので、血液回路の基端が接続される接続ポート８ａ、８ｂと、透析液導入ラインＬ４及び透析液排出ラインＬ５がそれぞれ接続される接続ポートとを有している。複式ポンプ１０は、透析液導入ラインＬ４及び透析液排出ラインＬ５を跨って配設され、透析液導入ラインＬ４を介してダイアライザ８に透析液を供給しつつ透析液排出ラインＬ５を介してダイアライザ８からの排液を排出させるものである。なお、透析液排出ラインＬ５には、複式ポンプ１０をバイパスさせるバイパスラインＬ３が接続されており、そのバイパスラインＬ３に除水ポンプ１４が接続されている。透析液導入ラインＬ４には、サンプルポートと称される透析液を採取するための透析液取出手段Ｂが接続されている。
【００５９】
ここで、生物粒子計数手段３は、透析液導入ラインＬ４における濾過フィルタｆと透析液取出手段Ｂとの間に接続されており、治療工程時にダイアライザ８に供給される透析液や洗浄消毒工程時の洗浄液等における生物粒子を計数し得るよう構成されている。しかして、上記実施形態と同様に、生物粒子計数手段３による計数値に基づいて所定の動作が行われるとともに、当該所定の動作が工程信号に応じて決定されるよう構成されている。
【００６０】
さらに、上記の如きセントラルシステムから成るものに代えて、個人用透析装置から成るものに適用してもよい。この場合、個人用透析装置（本発明の「血液浄化手段」に相当）は、それぞれ透析液原液或いは消毒液を収容したタンクを具備するとともに、供給手段から送液された清浄水及びタンク内の透析液原液を用いて所定濃度の透析液を作製し或いは希釈した消毒液を作製し得るものとされる。なお、供給手段から供給された透析液原液（所定の液体）を血液浄化手段にて所定濃度の透析液に調製して治療を行うものであってもよい。
【００６１】
またさらに、生物粒子計数手段は、監視装置１（血液浄化手段）に供給される所定の液体に含有された生物粒子をリアルタイムにて計数し得るものであればよく、本実施形態のものに限定されない。また、工程信号に基づいて行われる工程は、他の種々工程であってもよく、その工程信号に応じて決定される所定の動作も他の種々動作であってもよい。なお、本実施形態においては、血液透析治療を行うシステムとされているが、他の血液浄化治療を行う血液浄化システムに適用するようにしてもよい。
【産業上の利用可能性】
【００６２】
血液浄化手段に供給される所定の液体に含有された生物粒子をリアルタイムにて計数し得る生物粒子計数手段を具備し、当該生物粒子計数手段による計数値に基づいて所定の動作が行われるとともに、当該所定の動作が工程信号に応じて決定されるものとされ、且つ、工程信号に基づき行われる工程は、血液浄化手段による血液浄化治療を行わせる治療工程、所定の液体を流通させる流路を洗浄又は消毒させる洗浄消毒工程を有するとともに、所定の動作は、当該治療工程又は洗浄消毒工程に応じた生物粒子計数手段による計数値に基づく動作とされる血液浄化システムであれば、他の機能が付加されたもの等にも適用することができる。
【符号の説明】
【００６３】
１  監視装置（血液浄化手段）
２  透析液供給装置（供給手段）
３  生物信号計数手段
４  インターフェイス部
５  制御部
６  インターフェイス部
７  制御部
８  ダイアライザ（血液浄化器）
９  血液回路
１０  複式ポンプ
１１  流量検出センサ
１２  液圧検出センサ
１３  電導度検出センサ
１４  除水ポンプ
１５  清浄化フィルタ
Ｌ１  配管（所定の液体が流通する流路）
Ｌ１ａ  導入流路
【図１】
0006490493.tif 000002
【図２】
0006490493.tif 000003
【図３】
0006490493.tif 000004
【図４】
0006490493.tif 000005
【図５】
0006490493.tif 000006
【図６】
0006490493.tif 000007
【図７】
0006490493.tif 000008
【図８】
0006490493.tif 000009